(57)【要約】【課題】製造コストを抑制しつつ装飾体の動き方が異なるからくり時計を提供することを課題とする。【解決手段】地板と、前記地板に対し相対回転可能な回転板と、前記回転板に回転可能に支持された歯車と、前記歯車に連結された装飾体と、を備え、前記地板は、前記回転板の回転中心を中心とした円状に形成された内歯部、前記内歯部と同心円上にあり前記内歯部より外側にある外歯部、を含み、前記回転板は、前記内歯部よりも前記外歯部に近い第１軸部、前記外歯部よりも前記内歯部に近い第２軸部、を含み、前記歯車は、前記第１軸部に回転可能に支持されて前記外歯部に噛合う第１歯車、及び前記第２軸部に支持されて前記内歯部に噛合う第２歯車の少なくとも一方を含む、からくり時計。【選択図】図３
2014215093.tif 000002
【特許請求の範囲】
【請求項１】
地板と、
前記地板に対し相対回転可能な回転板と、
前記回転板に回転可能に支持された歯車と、
前記歯車に連結された装飾体と、を備え、
前記地板は、前記回転板の回転中心を中心とした円状に形成された内歯部、前記内歯部と同心円上にあり前記内歯部より外側にある外歯部、を含み、
前記回転板は、前記内歯部よりも前記外歯部に近い第１軸部、前記外歯部よりも前記内歯部に近い第２軸部、を含み、
前記歯車は、前記第１軸部に回転可能に支持されて前記外歯部に噛合う第１歯車、及び前記第２軸部に支持されて前記内歯部に噛合う第２歯車の少なくとも一方を含む、からくり時計。
【請求項２】
前記歯車は、自転しながら公転する、請求項１のからくり時計。
【請求項３】
前記回転板が一方向に回転している最中は、前記第１及び第２歯車は同一方向に公転しながら互いに逆方向に自転する、請求項１又は２のからくり時計。
【請求項４】
前記第１歯車は、前記第２歯車よりも自転速度が遅い、請求項１乃至３の何れかのからくり時計。
【請求項５】
前記第１及び第２歯車は、形状、大きさが同一である、請求項１乃至４の何れかのからくり時計。
【請求項６】
前記装飾体は、前記第１及び第２歯車にそれぞれ連結された第１及び第２装飾体を含み、
前記第１及び第２装飾体は、前記回転板からの高さが相違している、請求項１乃至５の何れかのからくり時計。
【発明の詳細な説明】
【技術分野】
【０００１】
本発明は、からくり時計に関する。
【背景技術】
【０００２】
装飾体を移動させるからくり時計が知られている。このようなからくり時計には、装飾体を移動させるための駆動機構が設けられている。特許文献１には、このようなからくり時計が開示されている。
【先行技術文献】
【特許文献】
【０００３】
【特許文献１】特開２００８−２４９６４３号公報
【発明の概要】
【発明が解決しようとする課題】
【０００４】
装飾体の動き方が異なるからくり時計を複数製造する場合、装飾体の動き方に応じて異なる駆動機構を設計、製造する必要がある。このため、製造コストが増大する。
【０００５】
そこで本発明は、製造コストを抑制しつつ装飾体の動き方が異なるからくり時計を提供することを目的とする。
【課題を解決するための手段】
【０００６】
上記目的は、地板と、前記地板に対し相対回転可能な回転板と、前記回転板に回転可能に支持された歯車と、前記歯車に連結された装飾体と、を備え、前記地板は、前記回転板の回転中心を中心とした円状に形成された内歯部、前記内歯部と同心円上にあり前記内歯部より外側にある外歯部、を含み、前記回転板は、前記内歯部よりも前記外歯部に近い第１軸部、前記外歯部よりも前記内歯部に近い第２軸部、を含み、前記歯車は、前記第１軸部に回転可能に支持されて前記外歯部に噛合う第１歯車、及び前記第２軸部に支持されて前記内歯部に噛合う第２歯車の少なくとも一方を含む、からくり時計によって達成できる。
【発明の効果】
【０００７】
製造コストを抑制しつつ装飾体の動き方が異なるからくり時計を提供できる。
【図面の簡単な説明】
【０００８】
【図１】図１は、からくり時計の正面図である。
【図２】図２は、からくり時計の正面図である。
【図３】図３は、からくり時計の駆動機構の説明図である。
【図４】図４は、図３のＡ−Ａ断面図である。
【図５】図５は、図４の部分拡大図である。
【図６】図６Ａ、６Ｂは、固定部材の説明図である。
【図７】図７は、第１変形例のからくり時計の正面図である。
【図８】図８は、第１変形例のからくり時計の正面図である。
【図９】図９は、第１変形例のからくり時計の駆動機構の説明図である。
【図１０】図１０は、図９のＣ−Ｃ断面図である。
【図１１】図１１は、第２変形例のからくり時計の正面図である。
【図１２】図１２は、第２変形例のからくり時計の正面図である。
【図１３】図１３は、第２変形例のからくり時計の駆動機構の説明図である。
【図１４】図１４は、図１３のＤ−Ｄ断面図である。
【発明を実施するための形態】
【０００９】
図１は、からくり時計１の正面図である。からくり時計１は、装飾が施された正面板３、正面板３の略中央には開口が形成され、この開口内に回転可能に配置された装飾板５、装飾板５よりも正面側に配置され移動可能な装飾体１０、３０、５０を含む。また、からくり時計１は、時刻を示す分針ＭＨ、時針ＨＨ、これらに連結された回転軸を保護するための固定部材９０、を含む。固定部材９０は、からくり時計１の略中心に配置されている。図１は、装飾板５、装飾体１０等が初期位置で停止している状態を示している。
【００１０】
装飾板５は、略円板状であり、時刻を示す数字が記載された板部６、板部６よりも内側にあり装飾が施された装飾部７、を含む。板部６には、数字の「２」「６」「１０」が等角度間隔に記載されている。装飾部７は、湾曲した複数の棒状の部分が形成されている。
【００１１】
装飾体１０は、数字が記載された板部１１、板部１１から固定部材９０側に延びるように形成された装飾部１３、固定部材９０近傍に位置する先端部１５、を含む。装飾部１３は、直線や湾曲した複数の棒状の部分が形成されている。同様に、装飾体３０、５０も、それぞれ、板部３１、５１、装飾部３３、５３、先端部３５、５５、を含む。板部１１には、数字の「１１」「１２」「１」が記載されている。板部３１には、数字の「３」「４」「５」が記載されている。板部５１には、数字の「７」「８」「９」が記載されている。初期状態では、図１に示すように、装飾体５に記載された数字を露出すように装飾体１０、３０、５０が配置され、装飾板５、装飾体１０、３０、５０全体が円形の状態で維持され、これら全体が単一の文字板として機能する。
【００１２】
所定の時刻になると、図１の初期状態から、図２に示すように装飾板５は固定部材９０を中心として回転し、装飾体１０、３０、５０は、固定部材９０回りを公転しながら自転する。具体的には、初期状態から装飾板５が時計方向に回転し、装飾体１０、３０、５０は時計方向に装飾板５の回転中心を中心として公転しながら時計方向に自転する。また、装飾板５等が回転している間は不図示のスピーカから音楽が出力される。所定時間経過すると、装飾板５が反時計方向に回転して装飾板５、装飾体１０、３０、５０は初期位置に戻り音楽が停止する。このように、からくり時計１は所定の時刻にこのようなからくり動作を実行する。尚、実際には、装飾板５は、初期状態から時計方向に回転して途中で停止したり、途中で逆回転したりしながら、全体として時計方向に回転する。装飾板５が反時計方向に回転する場合は、装飾体１０、３０、５０は反時計方向に公転、自転する。このようにからくり時計１は、装飾板５が回転し、装飾体１０、３０、５０は公転及び自転する。このため、観賞性に優れている。
【００１３】
図３は、からくり時計１の駆動機構の説明図である。図４は、図３のＡ−Ａ断面図である。尚、図３では、装飾板５、装飾体１０、３０、５０は示していないが、図４においては、装飾板５、装飾体１０を示している。正面板３の背面側に地板７０が配置されている。地板７０の背面側には分針ＭＨ、時針ＨＨを駆動するためのムーブメントＭ、装飾板５や装飾体１０等を駆動するためのモータｍ等を収納したギアケースｇｃが設けられている。地板７０の正面側には、回転板８０が地板７０に対して相対回転可能に配置されている。回転板８０は、固定部材９０を中心として回転する。モータｍにより回転板８０が回転し、これに伴い装飾板５が回転し装飾体１０等が公転しながら自転する。地板７０、回転板８０、ギアケースｇｃ、モータｍ等は、装飾板５、装飾体１０等を駆動するための駆動機構に相当する。
【００１４】
ギアケースｇｃ内には、モータｍ、モータｍの歯車ｇ１に噛合う歯車ｇ２、歯車ｇ２と同軸上に固定され歯車ｇ２よりもピッチ円径が小さい歯車ｇ３、歯車ｇ３に噛み合う歯車ｇ４、歯車ｇ４と同軸上に固定され歯車ｇ４よりもピッチ円径が小さい歯車ｇ５が配置されている。モータｍの回転動力が減速されて歯車ｇ５に伝達される。
【００１５】
歯車ｇ５は、回転板８０の外周縁に形成された歯部８２に噛合う。これにより回転板８０は地板７０に対して相対的に回転する。尚、歯部８２は、回転板８０の回転中心を中心として円形状に形成されている。回転板８０は、略円形であり、外周縁部を３つの保持部材Ｆにより挟持されている。保持部材Ｆは、地板７０の背面側に固定されている。地板７０には、回転板８０の外周部を逃すための切り欠き７０ｈが形成されている。切り欠き７０ｈを介して、回転板８０の外周部が保持部材Ｆにより支持されている。また、保持部材Ｆにより、回転板８０は地板７０から正面方向に若干のクリアランスをあけて支持されている。
【００１６】
回転板８０は、径方向外側から径方向内側の順に、歯部８２、外側部８１、傾斜部８３、内側部８４が設けられている。傾斜部８３は、外側部８１から正面側に延びている。内側部８４は外側部８１よりも正面側に位置している。内側部８４と外側部８１とは略平行である。内側部８４には装飾板５が固定されている。外側部８１は、地板７０よりも正面側にあり略平面状である。外側部８１には、３つの軸部８６、軸部８６よりも回転板８０の回転中心から離れた３つの軸部８７が設けられている。３つの軸部８６は、回転板８０の回転中心からの距離が同じである。３つの軸部８７も同様である。３つの軸部８６は、等角度間隔で設けられ、具体的には１２０度間隔である。３つの軸部８７も同様である。また、軸部８６、８７は隣接している。隣接する軸部８６、８７の角度間隔は、他の隣接する軸部８６、８７の角度間隔と同じである。隣接する軸部８６、８７の角度間隔は６０度である。
【００１７】
３つの軸部８６にはそれぞれ歯車Ｇが回転可能に支持されている。３つの軸部８７には歯車Ｇは支持されていないが、歯車Ｇを回転可能に支持できる。３つの歯車Ｇには、それぞれ前述した装飾体１０、３０、５０が固定されている。図４に示すように、装飾体１０の背面から延びた複数の固定軸１２が歯車Ｇに固定されている。他の装飾体３０、５０も同様である。回転板８０が回転することにより、３つの歯車Ｇは回転板８０の回転中心周りに公転する。また、これに伴って、３つの歯車Ｇは地板７０の外歯部７６に噛合う。この３つの歯車Ｇを回転可能に支持する軸部８６は、第１軸部の一例である。
【００１８】
外歯部７６は、回転板８０の回転中心を中心とした円状に形成されている。回転板８０の傾斜部８３は、地板７０の外歯部７６周りを囲うように形成されているが、地板７０の外歯部７６を露出する切り欠き８５が部分的に形成されている。切り欠き８５を介して、軸部８６に支持された歯車Ｇは地板７０の外歯部７６に噛合う。従って、例えば回転板８０が時計方向に回転すると、歯車Ｇは時計方向に公転しつつ、歯車Ｇは外歯部７６に噛合って時計方向に自転する。従って、これらの歯車Ｇに固定された装飾体１０、３０、５０も同様に公転しながら自転する。尚、回転板８０には装飾板５が固定されているため、回転板８０と一体に装飾板５も回転する。
【００１９】
尚、地板７０には、外歯部７６よりも外側にあり外歯部７６と同心円状に内歯部７７が形成されている。軸部８７は、外歯部７６よりも内歯部７７に近い位置に設けられている。軸部８６は、内歯部７７よりも外歯部７６に近い位置に設けられている。内歯部７７については後述する。
【００２０】
図５は、図４の部分拡大図である。尚、図５では理解を容易にするために一部の部品にハッチングを示している。地板７０は、背面側にムーブメントＭが固定されて回転板８０と対向する内側部７４、内側部７４から正面側に突出した突部７５、を含む。ムーブメントＭにより回転される回転軸ＭＳ、ＨＳは、それぞれ分針ＭＨ、時針ＨＨに連結されている。回転軸ＭＳ、ＨＳは、突部７５に形成された貫通孔を介して正面側に突出している。突部７５は、正面から見て略円形に突出している。突部７５には、固定部材９０が固定されている。固定部材９０は略筒状である。回転板８０は、突部７５及び固定部材９０の一部を逃す開口８８が形成され、突部７５周りに回転する。開口８８と突部７５との間に固定部材９０の一部分が介在する。地板７０、回転板８０、固定部材９０は、合成樹脂製である。具体的には、固定部材９０は、ＰＯＭ樹脂（ポリアセタール樹脂）製であり、地板７０、回転板８０は、ＡＢＳ樹脂（アクリロニトリルブタジエンスチレン樹脂）である。尚、回転板８０は、地板７０の内側部７４から所定のクリアランスをあけて保持部材Ｆにより支持されている。これにより、地板７０、回転板８０同士が摺接することがないようにしている。
【００２１】
次に、固定部材９０について説明する。図６Ａは、固定部材９０の背面図であり、図６Ｂは、図６ＡのＢ−Ｂ断面図である。固定部材９０は、筒部９１、フランジ部９３、包囲部９５、押さえ部９７を含む。筒部９１の外形は、非円筒状である。回転軸ＭＳ、ＨＳは、筒部９１の孔９１ｈ内を貫通して、筒部９１に包囲されている。これにより、例えばからくり時計１に衝撃が加わった場合に、装飾体１０の先端部１５等が回転軸ＭＳ、ＨＳに接触することを防止している。
【００２２】
フランジ部９３は、筒部９１の正面側の端部から径方向外側に突出している。図１に示すように装飾体１０、３０、５０が停止した初期状態では、フランジ部９３は、正面側から見て装飾体１０、３０、５０それぞれの先端部１５、３５、５５に部分的に重なる。詳細には、図５に示すように、フランジ部９３は、先端部１５、３５、５５よりも正面側に位置し、分針ＭＨ、時針ＨＨよりも背面側に位置する。即ち、フランジ部９３は、装飾体１０、３０、５０の一部分と分針ＭＨ、時針ＨＨとの間に位置する。また、フランジ部９３と先端部１５とは距離Ｌだけ重なっている。これにより、例えばからくり時計１に衝撃が加わったような場合に、装飾体１０の先端部１５等が正面側に移動して分針ＭＨ、時針ＨＨに接触することを防止している。先端部３５、５５についても同様である。
【００２３】
筒部９１の周囲には３つのネジ孔９１ｓが形成されている。ネジＳが、突部７５に形成された逃し孔を貫通してネジ孔９１ｓに螺合することにより、固定部材９０は突部７５に固定されている。ネジ孔９１ｓは固定部の一例である。包囲部９５は、筒部９１の背面側の端部側に設けられ、孔９１ｈよりも径が大きい略扁平の円筒状である。包囲部９５は地板７０の突部７５に嵌合して突部７５の外周を包囲している。包囲部９５には、突部７５に形成された位置決め用の突起部７５ｓに嵌合する孔９５ｓが形成されている。孔９５ｓ、突起部７５ｓが嵌合することにより、突部７５に対して固定部材９０が回転することが防止されている。回転板８０の開口８８と突部７５との間に、包囲部９５が位置している。このため、回転板８０の開口８８の内周面は包囲部９５の外周面に摺接する。
【００２４】
押さえ部９７は包囲部９５から径方向外側に突出し回転板８０の正面側に位置している。これにより、例えば、衝撃などにより回転板８０が正面側に移動して突部７５から離脱することを抑制している。
【００２５】
また、図６Ａに示すように、正面から見ると筒部９１の孔９１ｈは円状である。しかしながら、筒部９１の外周には３つの外平面９１ｅが形成されて、筒部９１は略三角筒状である。ここで、筒部９１の外平面９１ｅが設けられていない場合の筒部９１を筒部９１ｅ´とすると、筒部９１ｅ´の外形に対して設けられた外平面９１ｅは筒部９１ｅ´の外径よりも固定部材９０の中心軸側に位置する。筒部９１ｅ´は、筒部９１の中心から最も離れた外形上の点を通過して筒部９１と同心円状の仮想円筒である。このような筒部９１の外形状により、移動する３つの装飾体１０、３０、５０の先端部は外平面９１ｅに当接しない範囲で、筒部９１ｅ´の外径よりも、固定部材９０の中心軸側に位置することができる。即ち、装飾体１０、３０、５０の先端部が筒部９１ｅ´に重なるように筒部９１に接近できる。これにより、装飾体１０、３０、５０の可動領域をできるだけ大きく確保したまま、装飾体１０、３０、５０を時計１の中心に寄せることができる。また、フランジ部９３と先端部１０、３０、５０とが重なる距離Ｌを確保したまま、フランジ部９３、装飾体１０、３０、５０を時計１の中心に寄せることができる。したがって、からくり時計１を正面から見た場合に固定部材９０が目立つことを抑制できるとともに、時計１全体をコンパクトにできる。尚、筒部９１の外形は、装飾体１０、３０、５０の先端部１５、３５、５５の形状に対応させている。即ち、図２に示すように先端部１５は略三角形状であり、図１の初期状態では、三角形状である先端部１５の一辺が筒部９１の外平面９１ｅに対向している。
【００２６】
上述したように、回転板８０の外側部８１には、回転中心からの距離が異なる２種類の軸部８６、８７が設けられている。このため、外側部８１の面積が大きく、回転板８０自体も大きい。また、回転板８０は回転するため軽量であることが望ましく、そのために厚みがある程度薄いほうが好ましい。このように設計された回転板８０を例えばＰＯＭ樹脂で成型すると、回転板８０に反りが発生するおそれがある。本実施例の場合、ＰＯＭ樹脂よりも成形時の反りを抑制できる。ＡＢＳ樹脂で回転板８０を成型する。これにより、回転板８０の反りを抑制でき、薄型化、軽量化も達成できる。尚、地板７０、回転板８０は、ＡＳ樹脂（アクリロニトリルスチレン樹脂）、ＰＳ樹脂（ポリスチレン樹脂）の何れかであってもよい。この場合にも、回転板８０の反りを抑制できる。尚、地板７０、回転板８０は、これらの材料のうち互いに異なる材料で成型してもよい。
【００２７】
上述したように、地板７０、回転板８０は、ＡＢＳ樹脂製である。ＡＢＳ樹脂製である地板７０、回転板８０同士が摺接する面積が大きいと、磨耗や駆動音が増大するおそれがある。本実施例では、図５に示したように、回転板８０はＰＯＭ樹脂製の固定部材９０の包囲部９５の外周に摺接し、地板７０の突部７５には摺接しない。ＰＯＭ樹脂は摺動性がよく滑りやすい材料であるので、回転板８０の磨耗や駆動音が抑制されている。固定部材９０は、ＰＢＴ樹脂（ポリブチレンテレフタレート樹脂）、又はＰＡ樹脂（ポリアミド樹脂）製であってもよい。これら材料も摺動性がよく滑りやすいからである。
【００２８】
上述したように、固定部材９０は、回転軸ＭＳ、ＨＳ、分針ＭＨ、時針ＨＨを保護し、地板７０の内側部７４からの回転板８０の離脱を防止し、回転板８０と地板７０との間の磨耗等を抑制している。このため、固定部材９０に多くの機能が集約されており、部品点数の増大が抑制されている。
【００２９】
次に、第１変形例のからくり時計１ａについて説明する。図７、８は第１変形例のからくり時計１ａの正面図である。尚、同一の構成については、同一の符号を付することによりその説明を省略する。からくり時計１ａは、からくり時計１と一部共通の部品を使用している。
【００３０】
装飾板５ａは、数字の「１２」「４」「８」が記載された板部６ａ、板部６ａよりも内側にあり装飾が施された装飾部７ａ、を含む。装飾体２０、４０、６０は、装飾板５ａよりも正面側に位置して移動可能に配置されている。装飾体２０は、数字が記載された板部２１、板部２１から固定部材９０側に延びるように形成された装飾部２３、固定部材９０近傍に位置する先端部２５、を含む。同様に、装飾体４０、６０は、それぞれ板部４１、６１、装飾部４３、６３、先端部４５、６５を含む。板部２１には、数字の「１」「２」「３」が記載されている。板部４１には、数字の「５」「６」「７」が記載されている。板部６１には、数字の「９」「１０」「１１」が記載されている。図７に示す初期状態では、装飾板５ａ、装飾体２０、４０、６０全体が円形の状態が維持され、これら全体が単一の文字板として機能する。尚、図７の初期状態では、装飾体２０の先端部２５は、固定部材９０から離れている。装飾体４０、６０についても同様である。
【００３１】
所定の時刻になると、図７の初期状態から、図８に示すように装飾板５ａが時計方向に回転する。装飾体２０、４０、６０は、装飾板５ａの回転中心を中心に時計方向に公転しながら、反時計方向に自転する。所定時間経過すると、装飾板５ａ、装飾体２０等は初期位置に戻る。装飾板５ａが反時計方向に回転すると、装飾体２０、４０、６０は、反時計方向に公転しながら時計方向に自転する。このようにからくり時計１ａは、装飾板５ａが回転し、装飾体２０等は公転及び自転する。このため、観賞性に優れている。
【００３２】
図９は、第１変形例のからくり時計１ａの駆動機構の説明図である。図１０は、図９のＣ−Ｃ断面図である。図９、１０は、それぞれ図３、４に対応している。図９に示すように、第１変形例のからくり時計１ａの駆動機構は、上述したからくり時計１の駆動機構と同じである。但し、からくり時計１ａにおいては、軸部８６には歯車Ｇが支持されていないのに対し、軸部８７に歯車Ｇが支持されている。これにより、軸部８７に支持された歯車Ｇは地板７０の内歯部７７に噛合っている。従って、例えば回転板８０が時計方向に回転すると、歯車Ｇは時計方向に公転しつつ、歯車Ｇは内歯部７７に噛合っているため反時計方向に自転する。この３つの歯車Ｇを回転可能に支持する軸部８７は、第２軸部の一例である。尚、図１０に示すように、装飾体４０の板部４１の背面から延びた複数の固定軸４２が歯車Ｇに固定されている。同様に、他の装飾体２０、６０も歯車Ｇに固定されている。
【００３３】
からくり時計１、１ａを比較すると、図２に示すように装飾体１０、３０、５０が中心から近い位置で自転するのに対し、図８に示すように、装飾体２０、４０、６０は、中心から離れた位置で自転する。また、装飾体１０、３０、５０は、中心に近い位置を公転するのに対し、装飾体２０、４０、６０は、中心から離れた位置を公転する。装飾体１０、３０、５０は、中心の近くの軸部８６に支持された歯車Ｇに連結されているのに対し、装飾体２０、４０、６０は、中心から離れた軸部８７に支持された歯車Ｇに連結されているからである。
【００３４】
また、図３、９に示すように、軸部８６、８７にそれぞれ支持される歯車Ｇは同一のものである。一方、軸部８６に支持された歯車Ｇが噛合う外歯部７６のピッチ円径は、軸部８７に支持された歯車Ｇが噛合う内歯部７７のピッチ円径よりも小さい。また、外歯部７６、内歯部７７の歯の形状、大きさは同じである。従って、軸部８６に支持された歯車Ｇの回転速度は、軸部８７に支持された歯車Ｇの回転速度よりも遅い。よって、装飾体１０、３０、５０の各自転速度は、装飾体２０、４０、６０の各自転速度よりも遅い。また、上述したように、装飾体１０、３０、５０の自転方向と、装飾体２０、４０、６０の自転方向とは異なっている。このように、からくり時計１、１ａとでは装飾体の動き方が異なっている。
【００３５】
前述した実施例のからくり時計１と第１変形例のからくり時計１ａとを比較すると、駆動される装飾体は異なっているが、駆動機構は共通している。このように、共通の駆動機構を用いて、図２、８に示すように装飾体の動き方が異なるからくり時計１、１ａを製造できる。従って、異なる駆動機構を用いて装飾体の動き方が異なるからくり時計をそれぞれ個別に製造する場合と比較して、本実施例のからくり時計１、１ａは製造コストが低減されている。
【００３６】
次に、第２変形例のからくり時計１ａ´について説明する。図１１、１２は、第２変形例のからくり時計１ａ´の正面図である。からくり時計１ａ´は、からくり時計１、１ａと一部共通の部品を使用している。
【００３７】
図１２に示すように板５ａ´には数字は記載されておらず、装飾も施されていない。板５ａ´よりも正面側に装飾体１０ａ〜６０ａが配置されている。装飾体１０ａ〜６０ａは、それぞれ、板部１１ａ〜６１ａ、装飾部１３ａ〜６３ａ、先端部１５ａ〜６５ａを含む。板部１１ａ〜６１ａには、全体で数字の１〜１２までが記載されている。装飾体１０ａ〜６０ａ全体が単一の文字板として機能する。
【００３８】
所定の時刻になると、図１１の初期状態から、図１２に示すように、板５ａ´´が時計方向に回転し、装飾体１０ａ〜６０ａは、時計方向に公転する。また、装飾体１０ａ、３０ａ、５０ａは、時計方向に自転するが、装飾体２０ａ、４０ａ、６０ａは、反時計方向に自転する。即ち、装飾体１０ａ、２０ａは、同一方向に公転するが互いに逆方向に自転する。装飾体３０ａ、４０ａについても同様であり、装飾体５０ａ、６０ａについても同様である。装飾体１０ａ、３０ａ、５０ａの自転速度は同じである、装飾体２０ａ、４０ａ、６０ａの自転速度は同じである。装飾体１０ａ、３０ａ、５０ａの各自転速度は、装飾体２０ａ、４０ａ、６０ａの各自転速度よりも遅い。所定時間経過すると、装飾体１０ａ〜６０ａは初期位置に戻る。このように、装飾体１０ａ〜６０ａは公転及び自転し、装飾体１０ａ、２０ａは自転方向が異なっており、装飾体１０ａ、２０ａの自転速度は異なっているため、からくり時計１ａ´は、観賞性に優れている。
【００３９】
尚、初期状態では、正面から見て隣接する装飾体同士は部分的に重なっている。即ち、装飾体１０ａ、３０ａ、５０ａは、装飾体２０ａ、４０ａ、６０ａよりも正面側に位置している。このため、これら装飾体同士は接触しない。
【００４０】
図１３は、からくり時計１ａ´の駆動機構の説明図である。図１４は、図１３のＤ−Ｄ断面図である。図１３は、図３、９に対応し、図１４は、図４、１０に対応している。からくり時計１ａ´の駆動機構も、からくり時計１、１ａの駆動機構と同じである。但し、からくり時計１ａ´においては、軸部８６、８７の双方に歯車Ｇが支持されている。図１４に示すように、装飾体１０ａの背面側から延びた固定軸１２ａは、軸部８６に支持されている歯車Ｇに固定されている。同様に、装飾体３０ａ、５０ａは、軸部８６に支持された残り２つの歯車Ｇに固定されている。また、図１４に示すように、装飾体４０ａの背面側から延びた固定軸４２ａは、軸部８７に支持されている歯車Ｇに固定されている。同様に、装飾体４０ａ、６０ａは、軸部８７に支持された残り２つの歯車Ｇに固定されている。
【００４１】
図１４に示すように、装飾体１０ａの固定軸１２ａの長さと、装飾体４０ａの固定軸４２ａの長さとは、異なっている。このため、装飾体１０ａ、４０ａは、回転板８０から異なる高さ位置にあり、装飾体１０ａ、４０ａは接触しない。尚、装飾体３０ａ、５０ａは装飾体１０ａと同じ高さ位置にあり、装飾体２０ａ、６０ａは装飾体４０ａと同じ高さ位置にある。また、同一の高さ位置にある装飾体１０ａ、３０ａ、５０ａは、接触しないように１２０度の角度間隔を有して離れて配置されている。装飾体２０ａ、４０ａ、６０ａも同様である。
【００４２】
図１１、１４に示すように、正面から見ると装飾体１０ａの先端部１５ａ、装飾体３０ａの先端部３５ａ、５０ａの先端部５５ａは、図１４では符号は付していないが上述した固定部材９０のフランジ部９３に重なっている。これにより、初期状態で装飾体１０ａ、３０ａ、５０ａが分針ＭＨ、時針ＨＨに接触することが抑制されている。
【００４３】
からくり時計１、１ａ、１ａ´においても、駆動機構が共通している。このように、共通の駆動機構を用いて、図２、８、１２に示すように、装飾体の動き方が異なるからくり時計１、１ａ、１ａ´を低コストで製造できる。
【００４４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４５】
上記実施例及び変形例では、軸部８６、８７に回転可能に支持される歯車Ｇは同じであるがこれに限定されない。例えば、軸部８６、８７にそれぞれ回転可能に支持される歯車が、歯の大きさやピッチ円形を変更してもよい。また、これに対応するように、外歯部７６、内歯部７７の歯の大きさや厚みを変更してもよいし、軸部８６、８７の位置を変更してもよい。
【００４６】
軸部８６、８７はそれぞれ一つづつ設けられていてもよい。また、軸部８６、８７は、それぞれ２つ以上設けられていてもよい。軸部８６を複数設ける場合、軸部８６の角度間隔は等間隔ではなくてもよい。軸部８７についても同様である。従って、同一方向に自転しながら公転する装飾体も２つであってもよいし４つ以上であってもうよい。
【００４７】
上記実施例及び変形例では、地板７０の外歯部７６に噛合う歯車Ｇを支持可能な３つの軸部８６の回転中心からの距離は全て等しいが、これに限定されない。例えば、内歯部７７よりも外歯部７６に近いが、回転中心からの軸部８６までの距離とは異なる距離だけ離れた第３軸部を設けてもよい。例えば、回転中心から第３軸部までの距離が、回転中心から軸部８６までの距離よりも短い場合、軸部８６に支持される歯車Ｇよりもピッチ円径の小さい歯車を第３軸部に支持させてもよい。これにより、第３軸部で支持された歯車も外歯部７６に噛合わせることができる。また、回転中心から第３軸部までの距離が、回転中心から軸部８６までの距離よりも長い場合、軸部８６に支持される歯車Ｇよりもピッチ円径の大きい歯車を第３軸部に支持させてもよい。
【００４８】
また、外歯部７６よりも内歯部７７に近いが、回転中心からの軸部８７までの距離とは異なる距離だけ離れた第４軸部を設けてもよい。例えば、回転中心から第４軸部までの距離が、回転中心から軸部８７までの距離よりも短い場合、軸部８７に支持される歯車Ｇよりもピッチ円径の大きい歯車を第４軸部に支持させてもよい。これにより、第４軸部で支持された歯車も内歯部７７に噛合わせることができる。また、回転中心から第４軸部までの距離が、回転中心から軸部８６までの距離よりも長い場合、軸部８７に支持される歯車Ｇよりもピッチ円径の小さい歯車を第４軸部に支持させてもよい。
【００４９】
また、上記実施例及び変形例では外平面９１ｅは平面状に形成されるが、これに限られず、移動する３つの装飾体１０、３０、５０の先端部が当接しないような形状であればよく、例えば、凹型に形成されていてもよい。また、筒部９１は必ずしも三角筒状に限られず、例えば、移動する装飾体が４つある場合には４つの装飾体の先端部が当接しない四角筒状であってもよい。また、移動する装飾体が２つの場合には、２つの装飾体の先端部が当接しない楕円筒状、又は平行四辺形状であってもよい。
【００５０】
（付記１）
第１及び第２装飾体と、
前記第１及び第２装飾体を同一方向に所定位置を中心として公転させながら、互いに逆方向に自転させる駆動機構と、を備えたからくり時計。
（付記２）
前記第１及び第２装飾体は、自転速度が互いに異なっている、付記１のからくり時計。
（付記３）
前記所定位置から前記第１装飾体の自転の中心の位置までの距離と、前記所定位置から前記第２装飾体の自転の中心の位置までの距離とが異なっている、付記１又は２のからくり時計。
（付記４）
前記第１及び第２装飾体は、自転の回転の軸方向から見て部分的に重なっている、付記１乃至３の何れかのからくり時計。
【符号の説明】
【００５１】
１、１ａ、１ａ´  からくり時計
１０〜６０、１０ａ〜６０ａ  装飾体
１５〜６５、１５ａ〜６５ａ  先端部
７０  地板
７５  突部
７６  外歯部
７７  内歯部
８０  回転板
８６、８７  軸部
９０  固定部材
９１  筒部
９３  フランジ部
９５  包囲部
９７  押さえ部
Ｇ  歯車
【図１】
2014215093.tif 000003
【図２】
2014215093.tif 000004
【図３】
2014215093.tif 000005
【図４】
2014215093.tif 000006
【図５】
2014215093.tif 000007
【図６】
2014215093.tif 000008
【図７】
2014215093.tif 000009
【図８】
2014215093.tif 000010
【図９】
2014215093.tif 000011
【図１０】
2014215093.tif 000012
【図１１】
2014215093.tif 000013
【図１２】
2014215093.tif 000014
【図１３】
2014215093.tif 000015
【図１４】
2014215093.tif 000016